(57)【要約】【課題】粒子の寿命が短縮することなく、効果的に粒子の凝集を解消することができる画像表示装置を提供する。【解決手段】画像表示媒体１５は表示基板３６及び背面基板３８を備え、各々の対向面には複数のライン状の列電極４０及び行電極４２が互いに直交して対峙するように設けられている。表示基板３６の列電極４０側には絶縁層４４が、背面基板３８の行電極４２側には絶縁層４６が形成されている。表示基板３６と背面基板３８との間には、正に帯電した黒粒子４８と負に帯電した白粒子５０とが封入されている。画像表示媒体１５には、偏心カム６２、モータ６４、及びモータ駆動回路６６から成る振動装置３０が取り付けられる。モータ６４により偏心カム６２が回転駆動されることで画像表示媒体１５に振動が加えられ、凝集した粒子が解かれる。【選択図】        図４
2004361695.tif 000002
【特許請求の範囲】
【請求項１】
少なくとも一方が透光性を有する一対の基板と、前記一対の基板間に印加される電圧により前記一対の基板間に形成される電界に応じて移動可能に前記基板間に封入されると共に、色及び帯電特性が異なる複数種類の粒子群と、を備えた画像表示媒体と、
前記一対の基板間に所定電圧を印加する電圧印加手段と、
前記画像表示媒体に振動を加える振動手段と、
画像データに応じた画像用電圧が前記一対の基板間に印加されるように前記電圧印加手段を制御すると共に、所定のタイミングで前記画像表示媒体に振動が加えられるように前記振動手段を制御する制御手段と、
を備えた画像表示装置。
【請求項２】
前記制御手段は、所定周波数の交番電圧が前記一対の基板間に印加された後に、前記画像用電圧が前記一対の基板間に印加されるように前記電圧印加手段を制御すると共に、前記所定のタイミングで、かつ前記交番電圧が印加される前に、前記画像表示媒体に振動が加えられるように前記振動手段を制御することを特徴とする請求項１記載の画像表示装置。
【請求項３】
前記制御手段は、所定周波数の交番電圧が前記一対の基板間に印加された後に、前記画像用電圧が前記一対の基板間に印加されるように前記電圧印加手段を制御すると共に、前記所定のタイミングで、かつ前記交番電圧が印加される前に、前記画像表示媒体に振動が加えられると同時に前記交番電圧が前記一対の基板間に印加されるように前記振動手段及び前記電圧印加手段を制御することを特徴とする請求項１記載の画像表示装置。
【請求項４】
画像表示状態を検出する検出手段をさらに備え、
前記制御手段は、前記検出手段の検出結果に基づいて、前記所定のタイミングを決定することを特徴とする請求項１乃至請求項３の何れか１項に記載の画像表示装置。
【発明の詳細な説明】
【０００１】
【発明の属する技術分野】
本発明は画像表示装置に係り、特に、基板間に電圧を印加することにより着色粒子を移動させて画像表示する繰り返し書換えが可能な画像表示媒体に画像を表示する画像表示装置に関する。
【０００２】
【従来の技術】
従来、繰り返し書き換えが可能な画像表示媒体として、着色粒子を用いた画像表示媒体が提案されている（例えば特許文献１参照）。このような画像表示媒体は、例えば一対の基板と、印加された電界により基板間を移動可能に基板間に封入されると共に、色及び帯電特性が異なる複数種類の粒子群とを含んで構成されている。そして、画像に応じた電圧を一対の基板間に印加することにより粒子を移動させ、画像を表示する。
【０００３】
このような画像表示媒体は、画像の書き換え、すなわち粒子駆動を繰り返し行っていくと、一部のセル（画素）が表示不能となり、表示品質が劣化する、という問題があった。
【０００４】
この問題を解決するため、本発明者らは、所定周波数の交番電圧を基板間に印加することにより粒子を強制的に移動させ、粒子同士の衝突を促すことで粒子の凝集を解消する技術を提案した（特許文献２参照）。
【０００５】
【特許文献１】
特開２００１−３１２２２５号公報
【特許文献２】
特願２００１−１８７０９６号
【０００６】
【発明が解決しようとする課題】
しかしながら、特許文献２に記載された技術では、長時間の交番電圧を基板間に印可した場合、粒子の寿命が短縮する場合がある。また、交番電圧の印加だけでは粒子の凝集を解消するのにも限界があり、効果的に粒子の凝集を解消することができない、という問題があった。
【０００７】
本発明は、上記問題点を解決すべく成されたものであり、粒子の寿命が短縮することなく、効果的に粒子の凝集を解消することができる画像表示装置を提供することを目的とする。
【０００８】
【課題を解決するための手段】
上記課題を解決するため、請求項１記載の発明は、少なくとも一方が透光性を有する一対の基板と、前記一対の基板間に印加される電圧により前記一対の基板間に形成される電界に応じて移動可能に前記基板間に封入されると共に、色及び帯電特性が異なる複数種類の粒子群と、を備えた画像表示媒体と、前記一対の基板間に所定電圧を印加する電圧印加手段と、前記画像表示媒体に振動を加える振動手段と、画像データに応じた画像用電圧が前記一対の基板間に印加されるように前記電圧印加手段を制御すると共に、所定のタイミングで前記画像表示媒体に振動が加えられるように前記振動手段を制御する制御手段と、を備えたことを特徴とする。
【０００９】
画像表示媒体は、一対の基板間に画像データに応じた電圧が電圧印加手段によって印加されることにより、画像に応じて一対の基板間を粒子群が移動し、画像が表示される。
【００１０】
振動手段は、画像表示媒体に振動を加えるためのものであり、画像表示媒体に振動を加えられれば、背面基板側や側面側等のどの位置に取り付けられても良い。
【００１１】
制御手段は、画像表示時には、画像データに応じた画像用電圧が一対の基板間に印加されるように電圧印加手段を制御するが、画像の書き換えを繰り返し行っていると、粒子の凝集が発生し、画素欠陥が生じる。
【００１２】
このため、制御手段は、所定のタイミングで画像表示媒体に振動が加えられるように振動手段を制御する。振動処理を行う所定のタイミングは、例えば画像表示を行う前又は後に毎回行うように設定してもよいし、予め定めた所定回数画像の書き換えを行った場合に行うように設定してもよい。
【００１３】
このように、画像表示媒体に直接振動を加えるため、粒子の凝集を解いて良好に画像表示させることができる。
【００１４】
具体的には、請求項２に記載したように、前記制御手段は、所定周波数の交番電圧が前記一対の基板間に印加された後に、前記画像用電圧が前記一対の基板間に印加されるように前記電圧印加手段を制御すると共に、前記所定のタイミングで、かつ前記交番電圧が印加される前に、前記画像表示媒体に振動が加えられるように前記振動手段を制御することができる。
【００１５】
この発明によれば、画像表示時には、画像用電圧が印加される前に、まず所定周波数の交番電圧が一対の基板間に印加されるように電圧印加手段を制御する。このように、交番電圧を一対の基板間に印加することにより、粒子の移動が頻繁となって粒子同士や粒子と基板との衝突が促進され、ある程度粒子の凝集を解くことができる。
【００１６】
しかしながら、画像の書き換え回数が多くなると、交番電圧の印加でも解消できない粒子の凝集が発生する。
【００１７】
そこで、制御手段は、所定のタイミングで、かつ交番電圧が印加される前に、画像表示媒体に振動が加えられるように振動手段を制御する。これにより、凝集した粒子が他の粒子や基板と衝突するため、より効果的に粒子の凝集を解消することができる。また、振動を加えることのみによって粒子の凝集を解く場合と比較して、振動を加える回数を減らすこともでき、画像表示媒体の破損や寿命が短縮されるのを防ぐことができる。
【００１８】
また、請求項３に記載したように、前記制御手段は、所定周波数の交番電圧が前記一対の基板間に印加された後に、前記画像用電圧が前記一対の基板間に印加されるように前記電圧印加手段を制御すると共に、前記所定のタイミングで、かつ前記交番電圧が印加される前に、前記画像表示媒体に振動が加えられると同時に前記交番電圧が前記一対の基板間に印加されるように前記振動手段及び前記電圧印加手段を制御するようにしてもよい。
【００１９】
この発明によれば、画像表示媒体に振動を加えると同時に、交番電圧を印加するため、粒子が基板間を移動しながら、画像表示媒体に振動が加えられることとなる。このため、粒子同士の衝突や粒子と基板との衝突がさらに促進され、粒子の凝集をより効果的に解くことができる。
【００２０】
また、請求項４に記載しように、前記画像表示状態を検出する検出手段をさらに備え、前記制御手段は、前記検出手段の検出結果に基づいて、前記所定のタイミングを決定するようにしてもよい。
【００２１】
この発明によれば、画像表示状態を検出する検出手段を備えている。ここで、画像表示状態としては、例えば表示基板と背面基板との間に設けられた間隙部材によって形成されるセル（画素）の表示状態がある。この場合、例えば、検出手段は、濃度センサ等を含んで構成することができ、濃度値によってセルの表示に欠陥が発生しているか否かを判断することができる。例えば複数種類の粒子群のうち１つの色の粒子群を表示基板側に移動させて同一色の表示を行った場合、その色の本来の濃度と検出した濃度が異なっている場合、そのセルの表示に欠陥が発生していると判断することができる。
【００２２】
そして、制御手段は、検出手段の検出結果に基づいて、所定のタイミング、すなわち振動処理を行うタイミングを決定する。例えば、濃度値によってセルの表示の欠陥を検出する場合において、検出された濃度値が予め定めた許容範囲外の場合には、振動処理を行うようにする。このように、セルの表示の欠陥を自動的に検出して振動処理を行うことにより、不必要に振動処理を行うのを防ぐことができ、画像表示媒体の寿命が短縮されるのを防ぐことができる。
【００２３】
【発明の実施の形態】
以下、図面を参照して本発明の実施の形態について詳細に説明する。
【００２４】
（第１実施形態）
本実施形態は、単純マトリクス駆動により画像を表示する画像表示装置に本発明を適用したものである。
【００２５】
図１（Ａ）、（Ｂ）には、本実施形態に係る画像表示媒体１５の断面図を示した。画像表示媒体１５は、画像表示側である透明な表示基板３６と、当該表示基板３６と対向し所定間隙を隔てて配置される背面基板３８とを備えている。図２（Ａ）、（Ｂ）には、表示基板３６、背面基板３８の平面図を示した。
【００２６】
図１、２に示すように、表示基板３６の背面基板３８との対向面には複数のライン状の列電極４０が設けられ、同様に、背面基板３８の表示基板３６との対向面にも複数のライン状の行電極４２が設けられている。
【００２７】
そして、表示基板３６と背面基板３８とは、互いに設けられた列電極４０と行電極４２とが直交するように対峙して配置され、列電極４０と行電極４２との交差位置が画素を構成する。なお、図１（Ａ）は行電極４２の長手方向に沿った画像表示媒体１５の断面図（後述する図３のＡ−Ａ断面図）、図１（Ｂ）は列電極４０の長手方向に沿った画像表示媒体１５の断面図（後述する図３のＢ−Ｂ断面図）である。
【００２８】
また、表示基板３６の列電極４０側には絶縁層４４が形成され、背面基板３８の行電極４２側には絶縁層４６が各々形成されている。絶縁層４４、４６は例えばポリカーボネート等で構成される。
【００２９】
表示基板３６と背面基板３８との間には、互いに帯電特性の異なる粒子群であって、正に帯電した黒粒子４８と負に帯電した白粒子５０とが封入されている。また、表示基板３６と背面基板３８との間には間隙部材５２が設けられ、これにより表示基板３６と背面基板３８との間が一定間隔に保たれる。
【００３０】
このような画像表示媒体１５では、粒子が移動開始する所定電圧が列電極４０と行電極４２との間に印加されることにより、黒粒子４８及び白粒子５０は基板間を移動する。例えば、行電極４２に対して列電極４０に正の所定電圧が印加された場合には、表示基板３６側の黒粒子４８は背面基板３８側へ移動し、背面基板３８側の白粒子５０は表示基板３６側へ移動する。一方、行電極４２に対して列電極４０に負の所定電圧が印加された場合には、表示基板３６側の白粒子５０は背面基板３８側へ移動し、背面基板３８側の黒粒子４８は表示基板３６側へ移動する。
【００３１】
従って、表示すべき画像に応じて列電極４０と行電極４２との間に電圧を印加することにより画像に応じて粒子を移動させることができ、画像を表示することができる。なお、電圧の印加が停止された後も、鏡像力等により黒粒子４８又は白粒子５０は表示基板３６又は背面基板３８に付着したままとなり、画像表示は維持される。
【００３２】
なお、列電極４０及び行電極４２は、表示基板３６及び背面基板３８の対向する側の面と反対側の面に形成されていてもよく、表示基板３６及び背面基板３８の外側に別個独立に配置されていてもよい。
【００３３】
図３には、画像表示装置１０の概略ブロック図を示した。図３に示すように、画像表示装置１０は、画像表示媒体１５、制御部２４、電圧印加部２８、及び振動装置３０で構成されている。
【００３４】
なお、本実施の形態では、説明の簡略化のために４×４の単純マトリックス構成とし、表示基板３６の４つの列電極４０をそれぞれａ、ｂ、ｃ、ｄとし、背面基板３８の行電極４２をそれぞれｉ、ｉｉ、ｉｉｉ、ｉｖとした。実際には、画像表示に必要な縦横画素数に対応した本数の電極が各基板に形成されることはいうまでもない。また、本実施の形態では、表示基板３６のライン状の電極が列電極であり、背面基板３８のライン状の電極が行電極を形成するように構成したが、これとは逆に表示基板３６に行電極を設け、背面基板３８に列電極を設けた構成であってもよい。
【００３５】
図３に示すように、画像表示媒体１５は、電圧印加部２８と接続される。具体的には、表示基板３６の列電極４０及び背面基板３８の行電極４２は、それぞれ列電極用配線５３、行電極用配線５４を介して列電極駆動回路５５、行電極駆動回路５６に接続されている。
【００３６】
列電極駆動回路５５及び行電極駆動回路５６は、シーケンサ５８及び外部電源６０にそれぞれ接続されている。シーケンサ５８は制御部２４に接続され、制御部２４から入力された画像情報（画像データ）に応じて、列電極駆動回路５５、行電極駆動回路５６に画像情報信号を出力する。
【００３７】
単純マトリックス駆動では、シーケンサ５８から行毎の画像書込み信号（走査信号）が行電極駆動回路５６に送られ、行電極駆動回路５６から背面基板３８の行電極４２に画像書込電圧が順次印加される。同時に、背面基板３８の行電極４２に順次印加される画像書込電圧と同期して、画像書込電圧が印加される行に対応した画像情報信号がシーケンサ５８から列電極駆動回路５５へ送られ、列電極駆動回路５５から表示基板３６の列電極４０に書込み行に対応した画像書込電圧が一斉に印加される。これが１行目から最終行目まで順次行われることにより、所望の画像が表示される。
【００３８】
また、制御部２４は、振動装置３０と接続されている。振動装置３０は、図４に示すように、例えば画像表示媒体１５に固定的又は着脱可能に取り付けられ、偏心カム６２、モータ６４、及びモータ駆動回路６６で構成されている。
【００３９】
偏心カム６２は、図５に示すように、台座６２Ａに軸部６２Ｂが取り付けられた構成となっている。軸部６２Ａは、台座６２Ａの重心位置Ｇから所定距離離れた位置に取り付けられており、偏心している。軸部６２Ａは、モータ６４の回転軸に取り付けられる。
【００４０】
モータ６４は、モータ駆動回路６６によって駆動され、偏心カム６２を回転駆動する。モータ駆動回路６６は制御部２４と接続されており、制御部２４からの指示によりモータ６４を駆動する。
【００４１】
図４に示すように台座６２Ａに画像表示媒体１５が装着された状態でモータ６４が回転駆動すると、台座６２Ａと共に画像表示媒体１５が回転駆動されるが、軸部６２Ｂは台座６２Ａの重心位置Ｇから離れた位置に取り付けられているため、台座６２Ａは、軸部６２Ｂの長手方向に振動しながら回転することとなる。これにより、画像表示媒体１５にも軸部６２Ｂの長手方向に振動が加えられ、粒子の凝集を解くことが可能となる。
【００４２】
次に、本実施形態の作用として、制御部２４で実行される制御ルーチンについて、図６に示すフローチャートを参照して説明する。なお、図６に示す制御ルーチンは、画像表示装置１０に電源が投入されると実行される。
【００４３】
まず、ステップ１００において、画像データが入力されたか否かが判断され、画像データが入力されていない場合には、ステップ１００の判断が否定され、画像データが入力されるまで待機する。
【００４４】
一方、画像データが入力された場合には、ステップ１００の判断が肯定され、ステップ１０２で初期化処理を行う様、シーケンサ５８に指示する。シーケンサ５８は、初期化処理が指示されると、全ての列電極４０及び行電極４２に予め定めた所定周波数の交番電圧を所定時間印加する。これにより、図７（Ａ）に示すように、表示上は全面黒表示及び全面白表示が交互に切り替わる。このように、黒表示と白表示との切り替えを少なくとも１サイクル以上行う。このとき、粒子が頻繁に基板間を移動することで粒子同士や粒子と基板との衝突が促進され、動きにくくなっていた粒子も移動しやすくなり、画像表示に欠陥が生じるのを防ぐことができる。
【００４５】
次のステップ１０４では、画像表示処理を行うべく、入力された画像データをシーケンサ５８へ出力する。シーケンサ５８は、前述した単純マトリクス駆動により、画像データに応じて列電極駆動回路５５、行電極駆動回路５６を制御する。これにより、図７（Ｂ）に示すように画像が表示される。図７（Ｂ）では、一例として‘１２３’の文字を表示している。
【００４６】
ステップ１０６では、カウンタ値が予め定めた所定値になったか否かを判断する。なお、カウンタ値は、例えば制御部２４内に設けられた図示しない不揮発性メモリ等に記憶され、予めゼロに初期化されている。
【００４７】
カウンタ値が所定値になった場合には、ステップ１０６の判断が肯定され、ステップ１０８へ移行し、カウンタ値が所定値未満の場合には、ステップ１０６の判断が否定され、ステップ１１０へ移行する。ステップ１１０では、カウンタ値をインクリメントしてステップ１００へ戻り、画像データが入力された場合には上記と同様に、初期化処理及び画像表示処理を行う。
【００４８】
このようにして画像表示を繰り返すと、ステップ１０２の初期化処理、すなわち図８（Ａ）に示すように黒表示と白表示との切り替えを少なくとも１サイクル以上行う処理を行っても解消できない粒子の凝集が発生し、図８（Ｂ）に示すように、粒子が凝集し不動化したセル６８が発生する場合がある。
【００４９】
このため、カウンタ値が所定値になった場合には、ステップ１０８において、振動処理を行うべく、振動装置３０のモータ駆動回路６６に指示する。振動処理が指示されたモータ駆動回路６６は、モータ６４を駆動し、偏心カム６２を回転駆動させる。次のステップ１１２では、カウンタを初期化してステップ１００へ戻り上記と同様の処理を行う。
【００５０】
このように、画像表示を所定回数繰り返した場合には、画像表示媒体１５に所定時間振動が加えられるため、図８（Ｂ）に示すセル６８内の粒子の凝集を解消することができる。従って、次回画像表示を行った際には、図７（Ｂ）に示すように、画素欠陥のない画像表示を行うことができる。
【００５１】
なお、画像表示を行う度に画像表示媒体１５に振動を加えるようにしてもよいが、不必要に振動を加えるのは画像表示媒体１５の寿命を短縮することにもなりかねない。このため、上記の所定値は、例えば粒子の凝集が発生する画像表示回数未満で、かつ、その画像表示回数に近い値に設定されることが好ましい。これにより、粒子の凝集による画素欠陥を未然に防止することができると共に、不必要な振動処理を極力減らし、画像表示媒体１５の寿命が短縮されるのを防止することができる。
【００５２】
また、本実施形態では、偏心カム６２を画像表示媒体１５の裏面、すなわち背面基板３８側に取り付けて振動させる場合について説明したが、これに限らず、画像表示媒体１５の側面、すなわち間隙部材５２側に取り付けてもよい。さらに、本実施形態では偏心カム６２をモータ６４により回転駆動することにより画像表示媒体１５を振動させる場合について説明したが、画像表示媒体１５を振動させることができればよく、振動子、スピーカー、ソレノイド等の他の振動手段を用いて振動装置３０を構成してもよい。
【００５３】
（第２実施形態）
次に、本発明の第２実施形態について説明する。なお、上記実施形態と同一部分については同一符号を付し、その詳細な説明は省略する。
【００５４】
本実施形態に係る画像表示装置１０の構成は、第１実施形態と同様であるので説明は省略する。
【００５５】
次に、本発明の作用として、制御部２４で実行される制御ルーチンについて、図９に示すフローチャートを参照して説明する。なお、図６に示す制御ルーチンと同一の処理については同一符号を付し、説明を省略する。
【００５６】
図９に示すように、本制御ルーチンは、ステップ１０８Ａの処理のみが図６に示す制御ルーチンと異なる。
【００５７】
ステップ１０８Ａでは、前述した初期化処理と振動処理とを同時に行うべく、シーケンサ５８及び振動装置３０に指示する。
【００５８】
これにより、全ての列電極４０及び行電極４２に予め定めた所定周波数の交番電圧が所定時間印加されると共に、画像表示媒体１５が回転駆動される。このため、画像表示媒体１５が振動した状態で粒子が頻繁に基板間を移動し、より効果的に凝集した粒子を解くことができる。
【００５９】
なお、初期化処理と振動処理とは必ずしも同時に開始したり同時に終了する必要はなく、少なくとも同時に実施する期間が重複する期間があればよい。
【００６０】
（第３実施形態）
次に、本発明の第３実施形態について説明する。本実施形態では、凝集した粒子を検知して、自動的に画像表示媒体に振動を加える場合について説明する。なお、上記実施形態と同一部分には同一符号を付し、詳細な説明は省略する。
【００６１】
図１０には、本実施形態に係る画像表示装置１０１の概略構成を示した。画像表示装置１０１は、図３に示す画像表示装置１０と略同様の構成であるが、粒子の凝集を検知する凝集検出装置７０を備えた点が異なる。それ以外については両者は同一であるので、詳細な説明は省略する。
【００６２】
凝集検出装置７０は、例えば画像表示媒体１５の少なくとも一部の領域の反射濃度を測定する濃度センサ７２と、この濃度センサ７２が画像表示媒体１５の表面全体を移動するように濃度センサ７２を駆動する移動装置７４等を含んで構成される。濃度センサ７２及び移動装置７４は制御部２４に接続されている。
【００６３】
制御部２４では、濃度センサ７２が画像表示媒体１５上を移動するように移動装置７４を制御すると共に、濃度センサ７２により検出した濃度値に基づいて、粒子の凝集を検知し、凝集が検知された場合には、上記実施形態で説明したように画像表示媒体１５に振動を加える。
【００６４】
次に、本実施形態の作用として、制御部２４で実行される制御ルーチンについて図１１に示すフローチャートを参照して説明する。なお、図６に示す制御ルーチンと同一の処理については同一符号を付し、説明を省略する。
【００６５】
図１１に示すように、本制御ルーチンは、ステップ１０６以降の処理が図６に示す制御ルーチンと異なる。
【００６６】
ステップ１０６でカウンタ値が所定値になったと判断されると、ステップ１０７へ移行し、画像表示媒体１５が全面白表示となるようシーケンサ５８に指示する。これにより、シーケンサ５８は、画像表示媒体１５が全面白表示となるよう列電極駆動回路５５及び行電極駆動回路５６を駆動する。
【００６７】
次に、ステップ１０８において、粒子の凝集が検出されたか否かを判断する。具体的には、制御部２４は、まず移動装置７４に対して濃度センサ７２が画像表示媒体１５の表面上を移動するよう指示する。これにより、移動装置７４は、濃度センサ７２が画像表示媒体１５の表面上を移動するよう濃度センサ７２を駆動する。
【００６８】
そして、濃度センサ７２が、所定距離（濃度センサ７２の移動方向の幅に相当する距離）移動する毎に、濃度センサ７２により検出された濃度値を取り込み、取り込んだ濃度値が予め定めた所定閾値以上であるか否かを判断する。この所定閾値は、粒子の凝集が発生し、欠陥画素と認識されてしまう濃度値に設定される。
【００６９】
検出した濃度値が所定閾値以上となった場合には、その時点でステップ１０８の判断が肯定され、ステップ１０９へ移行する。一方、濃度センサ７２が画像表示媒体１５上を全て移動し終わっても、検出した濃度値が所定閾値以上にならなかった場合には、ステップ１０８の判断が否定され、ステップ１１２へ移行する。
【００７０】
ステップ１０９では、第１実施形態で説明した振動処理を行い、粒子の凝集を解消させる。なお、第２実施形態で説明したように、初期化処理と振動処理とを同時に行うようにしてもよい。
【００７１】
このように、本実施形態では、定期的に振動処理を行うのではなく、粒子が凝集していることを検出した場合に限って振動処理を行うようにしているので、不必要な振動処理が行われてしまうのを防ぐことができる。
【００７２】
なお、ステップ１０７において、全面白表示ではなく、全面黒表示となるようシーケンサ５８に指示し、ステップ１０８において、検出された濃度値が予め定めた所定閾値以下であるか否かを判断し、所定閾値以下の場合に振動処理を行うようにしてもよい。
【００７３】
また、本実施形態では、カウンタ値が所定値になる毎に粒子の凝集の検出処理を行っているが、画像表示を行う毎に毎回行ってもよい。
【００７４】
また、本実施形態では、濃度センサにより画像表示媒体１５の濃度を検出することにより粒子の凝集を検出しているが、これに限らず、例えばＣＣＤカメラ等の撮像手段により画像表示媒体１５の表面を撮影し、撮影画像に基づいて粒子の凝集が発生しているか否かを判断するようにしてもよい。
【００７５】
（実施例）
次に、本発明の実施例について説明する。
【００７６】
表示基板３６及び背面基板３８は１．１ｍｍ厚の＃１７３７ガラス基板を用い、これらの基板上にＩＴＯ（Ｉｎｄｉｕｍ−Ｔｉｎ−Ｏｘｉｄｅ）によりストライプ状の列電極４０及び行電極４２を形成した。電極の幅は０．９８ｍｍ、隣接する電極間の距離は０．０２ｍｍとした。
【００７７】
表示基板３６の列電極４０側に、ポリカーボネートで絶縁層４４を形成し、その上に電極間隔に対応して１．０ｍｍピッチ、幅１００ｕｍ、高さ２００ｕｍの格子状のセル（区画）をフォトリソグラフィーにより形成した。このセルが画素を構成する。背面基板３８も表示基板３６と同様に作製した。
【００７８】
表示基板３６及び背面基板３８は、各々の電極が直交するように対峙して重ねあわせ、基板間に黒粒子４８及び白粒子５０を混合して封入した。単位セル内に封入される白粒子５０としては、イソプロピルトリメトキシシラン処理したチタニアの微粉末を、重量比１００対０．１の割合で混合した体積平均粒径２０μｍの酸化チタン含有架橋ポリメチルメタクリレートの球状白粒子（積水化成品工業（株）製テクポリマーＭＢＸ２０ホワイト）を用いた。黒粒子４８としては、アミノプロピルトリメトキシシラン処理したアエロジルＡ１３０微粉末を、重量比１００対０．２の割合で混合した体積平均粒径２０μｍのカーボン含有架橋ポリメチルメタクリレー卜の球状黒粒子（積水化成品工業（株）製テクポリマーＭＢＸ２０ブラック）を用いた。なお、白粒子５０と黒粒子４８とは重量比２対１の割合で混合した。また、白粒子５０は負に、黒粒子４８は正に帯電する。
【００７９】
振動装置３０としては、マブチ社製モーターＲＥ−１４０ＲＡを用いた。また、偏心カム６２としては、サイズが２０×５×５ｍｍの台座６２Ａの端部から５ｍｍの位置に軸部６２Ｂが取り付けられた真鍮製偏心カムを用いた。この偏心カム６２は、モータの駆動軸に取り付けられる。また、各電極の駆動電圧は１．５Ｖとし、振動装置３０のモータの回転数は５４００ｒ／ｍｉｎとした。
【００８０】
このような条件で単純マトリクス方式により画像表示を行った。まず、全面白表示と全面黒表示とを交互に切り替えることを少なくとも１サイクル以上繰り返して、初期化を行った。次に、所望の画像を単純マトリクス方式により画像表示媒体に書き込み、画像表示した。このような初期化処理及び画像表示処理を繰り返し、画像の書き換えを行っていくと、次第に粒子が凝集し不動化したセルが現れ、欠陥画素が発生した。
【００８１】
そこで、振動装置３０により画像表示媒体１５に振動を与え、粒子の凝集を解いた。再び、上記の初期化処理及び画像表示処理を行ったところ、粒子が凝集し不動化したセルが正常表示され、欠陥画素がなくなった。
【００８２】
また、画像の書き換えを繰り返して粒子が凝集し不動化したセルが現れ、欠陥画素が発生したときに、第２実施形態のように、初期化処理と振動処理とを同時に実行したところ、粒子の凝集が解かれ、粒子が凝集し不動化したセルが正常表示され、欠陥画素がなくなった。
【００８３】
これに対し、従来のように、振動処理は行わず、初期化処理及び画像表示処理を繰り返して行ったところ、次第に図１２（Ｂ）に示すように、粒子が凝集し不動化したセル６８が現れたが、図１２（Ａ）に示すように、初期化処理のみでは粒子の凝集を完全に解くことができず、不動化したセル６８が残ったままとなった。
【００８４】
このように、粒子が凝集した場合には、交番電圧を基板間に印加したときの粒子の移動のみにより凝集を解消するのには限界があり、画像表示媒体１５に振動を加えることで、粒子の凝集を効果的に解くことができることがわかった。
【００８５】
【発明の効果】
以上説明したように、本発明によれば、粒子の寿命が短縮することなく、効果的に粒子の凝集を解消することができる、という優れた効果を有する。
【図面の簡単な説明】
【図１】（Ａ）、（Ｂ）は第１実施形態に係る画像表示媒体の断面図である。
【図２】（Ａ）は表示基板の平面図であり、（Ｂ）は背面基板の平面図である。
【図３】第１実施形態に係る画像表示装置の概略構成図である。
【図４】第１実施形態に係る振動装置の概略構成図である。
【図５】偏心カムの斜視図である。
【図６】第１実施形態に係る制御部で実行される制御ルーチンのフローチャートである。
【図７】（Ａ）は初期化処理時の画像表示媒体の表示状態を示す図、（Ｂ）は画素欠陥がない場合の画像表示例を示す図である。
【図８】（Ａ）は初期化処理時の画像表示媒体の表示状態を示す図、（Ｂ）は画素欠陥が生じた場合の画像表示例を示す図である。
【図９】第２実施形態に係る制御部で実行される制御ルーチンのフローチャートである。
【図１０】第３実施形態に係る画像表示装置の概略構成図である。
【図１１】第３実施形態に係る制御部で実行される制御ルーチンのフローチャートである。
【図１２】（Ａ）は従来における初期化処理時の画像表示媒体の表示状態を示す図、（Ｂ）は従来における画像表示例を示す図である。
【符号の説明】
１０、１０１      画像表示装置
１５  画像表示媒体
２４  制御部（制御手段）
２８  電圧印加部（電圧印加手段）
３０  振動装置（振動手段）
３６  表示基板
３８  背面基板
４０  列電極
４２  行電極
４４、４６          絶縁層
４８  黒粒子
５０  白粒子
５２  間隙部材
５３  列電極用配線
５４  行電極用配線
５５  列電極駆動回路
５６  行電極駆動回路
５８  シーケンサ
６０  外部電源
６２  偏心カム
６４  モータ
６６  モータ駆動回路
７０  凝集検出装置（検出手段）
７２  濃度センサ
７４  移動装置
【図１】
2004361695.tif 000003
【図２】
2004361695.tif 000004
【図３】
2004361695.tif 000005
【図４】
2004361695.tif 000006
【図５】
2004361695.tif 000007
【図６】
2004361695.tif 000008
【図７】
2004361695.tif 000009
【図８】
2004361695.tif 000010
【図９】
2004361695.tif 000011
【図１０】
2004361695.tif 000012
【図１１】
2004361695.tif 000013
【図１２】
2004361695.tif 000014